(57)【特許請求の範囲】
【請求項１】
荷受人向けの券を一体化した配送伝票であって、表面に配送情報記入部を有する受領票と貼付票が各々分離可能に設けられるとともに、それらと同一面上に荷受人向け情報記入部を持つ券のある領域がやはり受領票及び貼付票と分離可能に設けられており、これらの受領票、貼付票及び券のある領域は、それらの情報記入部のある伝票用紙とその裏面に接着された第１フィルムとで構成され、第１フィルムの裏面には第２フィルムが第１フィルムと剥離可能に接着されており、さらにその第２フィルムの裏面には粘着剤が塗布され、その粘着剤は剥離紙で被覆されており、伝票用紙には表面を印字可能に樹脂コーティングした合成紙が用いられ、券は、当該券のある領域において伝票用紙と第１フィルムを貫通する抜きにより周囲を区画されていることを特徴とする配送伝票。
【発明の詳細な説明】
【０００１】
【発明の属する技術分野】
本発明は、百貨店、通信販売会社等の商品配送や通信教育の教材発送などに際し荷物に貼付して使用される配送伝票に関するものである。
【０００２】
【発明が解決しようとする課題】
従来、百貨店や通信販売などで商品の送付先の顧客にその商品を購入したことによる特典、例えば購入商品の価格に応じたポイント券や割引券などを与えようとしたとき、予め決められた特典を事前に印刷したものを同梱して送る方法が採られている。しかし、その顧客向けの特別の特典やその顧客向けのメッセージを添えるようなサービスは、配送品の中にこれらを別途挿入した場合に、配送伝票の宛先と配送品中の特定の顧客向けの特典とが正しくマッチングされている必要があることから、実行が難しかった。
【０００３】
また、通信教育の教材はコースにより決まったものであり、事前にまとめて梱包しておいた方が発送の効率は良いが、その後の通信添削等のために受講者に受講番号等を与えようとしたとき、受講番号を印字した受講券等を同梱する必要があるため、受講者毎に受講券を印字して梱包し、配送伝票を貼付して発送する必要があった。
【０００４】
このように、従来の配送伝票では、別途作成したポイント券、割引券、受講券、クーポン券、会員券等を荷物に同梱して送るしかなく、その配送伝票に荷受人に対する個人情報を印字する場合は、表の配送伝票と中の券のマッチングが必要であり、ミスが起こりやすいという問題点があった。また、券を入れるまで梱包できないか、梱包済みのものを再度開梱して券を挿入しなければならないという問題点もあった。
【０００５】
本発明は、上記のような問題点に鑑みてなされたものであり、その目的とするところは、配送情報を印字する際に同時に券にも荷受人の情報を印字でき、かつ既に梱包済みの配送商品等を開梱することなくその荷受人向けの券の送付を可能とした搬送伝票を提供することにある。
【０００６】
【課題を解決するための手段】
上記の目的を達成するため、本発明の配送伝票は、荷受人向けの券を一体化した配送伝票であって、表面に配送情報記入部を有する受領票と貼付票が各々分離可能に設けられるとともに、それらと同一面上に荷受人向け情報記入部を持つ券のある領域がやはり受領票及び貼付票と分離可能に設けられており、これらの受領票、貼付票及び券のある領域は、それらの情報記入部のある伝票用紙とその裏面に接着された第１フィルムとで構成され、第１フィルムの裏面には第２フィルムが第１フィルムと剥離可能に接着されており、さらにその第２フィルムの裏面には粘着剤が塗布され、その粘着剤は剥離紙で被覆されており、伝票用紙には表面を印字可能に樹脂コーティングした合成紙が用いられ、券は、当該券のある領域において伝票用紙と第１フィルムを貫通する抜きにより周囲を区画されていることを特徴としている。
【０００７】
【発明の実施の形態】
次に、複数の例を挙げて本発明の実施の形態について説明する。このうち、図１〜図３に示すものは比較例としての配送伝票であり、図４に示すものが本発明に係る配送伝票の一例である。
【０００８】
図１に示す配送伝票１は、百貨店等において商品を発送する際に、送り先を印字すると同時にそのお客様向けの特別の割引率など固有の情報を印字して送付することができるものであり、図１（Ａ）に示すように、受領票２と貼付票３がスリットαより各々分離可能に連接され、さらに情報印字部４ａを持つ割引券４がそれらと同一平面上にスリットαにより受領票２及び貼付票３と分離可能に配された構成になっている。
【０００９】
層構成は図１（Ｂ）に示すようであり、紙等からなる中間基材５の表面に接着剤６が塗布され、裏面には荷物に貼付するための粘着剤７が塗布されており、さらにその粘着剤７は剥離紙８によって被覆されている。この中間基材５に塗布した接着剤６の上に先の受領票２、貼付票３及び割引券４がある伝票用紙９が接着されているが、受領票２と割引券４の裏面には、剥離可能とするために事前に接着遮蔽層１０が印刷等で施されている。
【００１０】
この配送伝票１は、その受領票２と貼付票３にプリンタで配送情報を印字する際に同時に割引券４にも割引率などの荷受人向けの固有の情報を印字する。そして、このようにして印字された配送伝票１をその剥離紙８を剥がし荷物に貼付して発送するので、荷受人向けの情報を別途印字した券を作成する手間がなく、その券を荷物の中に入れる必要もない。また、配送伝票１の宛名と中身の個人向け情報のマッチングミスも発生しない。荷物を受け取った荷受人は、貼付された配送伝票１から割引券４を剥がして利用することができる。
【００１１】
図２に示す配送伝票１は、通信販売などで購入した顧客に所定のポイントを付与し、そのポイントがある一定ポイントを越えると景品と交換できるサービスに用いる例で、構成は図１に示したものとほぼ同様であるが、受領票２と貼付票３にスリットαで分離可能にポイントシール１１が付いている。この配送伝票１は、購入し送付される商品に応じて付与されるポイントを、受領票２と貼付票３にプリンタで配送情報を印字する際に同時にポイントシール１１の情報印字部１１ａに印字する。そして、受け取った荷受人（顧客）は、ポイントシール１１の部分を剥がして保管し、一定ポイントを越えたら景品等と交換できる。
【００１２】
図３に示す配送伝票１は、通信教育等などにおいて教材を送付する際に用いられる例であり、図３（Ａ）に示すように、受領票２と貼付票３がスリットαにより各々分離可能に連接され、さらに受講証１２がやはりスリットαにより分離可能に設けられ、また左右の辺にはプリンタでの走行に用いるスプロケットホール１３が設けられた構成になっている。
【００１３】
層構成は図３（Ｂ）に示すようであり、伝票用紙９の裏面に剥離のための接着遮蔽層１０が施されており、その裏に樹脂層１４が塗布等で構成され、さらにその裏面に粘着剤７が塗布され、その粘着剤７は剥離紙８で被覆されている。なお、貼付票３の裏面には接着遮蔽層１０がなくてもよい。
【００１４】
この配送伝票１は、その受領票２と貼付票３にプリンタで配送情報を印字する際に同時に受講証１２の情報印字部１２ａに受講コース、受講Ｎｏ、受講者氏名等を印字する。そして、このように各情報を印字した配送伝票１をその剥離紙８を剥がし教材等に貼って送付する。荷受人（受講生）は、受講証１２の部分を剥がして受講証とし、添削に送付する添削用紙に受講Ｎｏ等を記入するのに用いたり、スクーリングの時などに受講証として持参するのに用いることができる。
【００１５】
図４に示す配送伝票１は、百貨店やその他の商店が顧客に持参すると特典が得られる会員証を発行する際に用いられる例であり、図４（Ａ）に示すように、受領票２と貼付票３がスリットαにより各々分離可能に連接され、それらの右側の領域には抜きβを入れられた会員証１５が設けられている。また、左右の辺にはプリンタでの走行に用いるスプロケットホール１３が設けられた構成になっている。
【００１６】
層構成は図４（Ｂ）に示すようであり、伝票用紙９の裏面にフィルム１６が接着されて、その裏面にフィルム１７がフィルム１６と剥離可能に接着されており、さらにそのフィルム１７の裏面には粘着剤７が塗布され、その粘着剤７は剥離紙８で被覆されている。
【００１７】
この配送伝票１は、その受領票２と貼付票３にプリンタで配送情報を印字する際に同時に会員証１５の情報印字部１５ａに会員Ｎｏや会員氏名を印字する。そして、このように各情報を印字した配送伝票１をその剥離紙８を剥がし商品等の荷物に貼って送付する。荷受人（顧客）は、会員証１５の部分をフィルム１６とフィルム１７の間から剥がして会員証として利用できる。剥がした会員証１５は裏面がフィルム１６で被覆された状態で会員証として必要な耐久性や紙以上の高級感が得られる。また、伝票用紙９を紙基材ではなく、表面を印字可能に樹脂コーティングしたいわゆる合成紙を用いれば、さらに耐久性や高級感を高めることができる。これらを用いれば、別途プラスチック製カードなどの会員証を発行して送付する手間をかけることなく顧客に会員証を配付することができる。
【００１８】
以上、４つの例を挙げて本発明を実施の形態に基づいて説明したが、本発明による配送伝票は、上記実施の形態に何ら限定されるものでなく、本発明の趣旨を逸脱しない範囲において種々の変更が可能であることは当然のことである。
【００１９】
【発明の効果】
本発明の配送伝票は、本発明の配送伝票は、荷受人向けの券を一体化した配送伝票であって、表面に配送情報記入部を有する受領票と貼付票が各々分離可能に設けられるとともに、それらと同一面上に荷受人向け情報記入部を持つ券のある領域がやはり受領票及び貼付票と分離可能に設けられており、これらの受領票、貼付票及び券のある領域は、それらの情報記入部のある伝票用紙とその裏面に接着された第１フィルムとで構成され、第１フィルムの裏面には第２フィルムが第１フィルムと剥離可能に接着されており、さらにその第２フィルムの裏面には粘着剤が塗布され、その粘着剤は剥離紙で被覆されており、伝票用紙には表面を印字可能に樹脂コーティングした合成紙が用いられ、券は、当該券のある領域において伝票用紙と第１フィルムを貫通する抜きにより周囲を区画されていることを特徴としているので、配送情報を印字する際に同時に券にも荷受人の情報を印字して送付に用いることができ、マッチング等のミスを起こすことなく荷受人向けの券を送付することができる。そして、荷受人は配送伝票から券を剥がして利用することができ、このとき、剥がした券は裏面がフィルムで被覆された状態となり、券として必要な耐久性や紙以上の高級感が得られる。
【図面の簡単な説明】
【図１】  比較例としての配送伝票を示すもので、図１（Ａ）は平面図、図１（Ｂ）は図１（Ａ）のＡ−Ａ断面図である。
【図２】  比較例としての配送伝票の別のタイプを示す平面図である。
【図３】  比較例としての配送伝票のさらに別のタイプを示すもので、図３（Ａ）は平面図、図３（Ｂ）は図３（Ａ）のＢ−Ｂ断面図である。
【図４】  本発明に係る配送伝票の一例を示すもので、図４（Ａ）は平面図、図４（Ｂ）は図４（Ａ）のＣ−Ｃ断面図である。
【符号の説明】
１  配送伝票
２  受領票
３  貼付票
４  割引券
５  中間基材
６  接着剤
７  粘着剤
８  剥離紙
９  伝票用紙
１０  接着遮蔽層
１１  ポイントシール
１１ａ  情報印字部
１２  受講証
１２ａ  情報印字部
１３  スプロケットホール
１４  樹脂層
１５  会員証
１５ａ  情報印字部
１６，１７  フィルム
α  スリット
β  抜き
【図１】
0004497439.tif 000002
【図２】
0004497439.tif 000003
【図３】
0004497439.tif 000004
【図４】
0004497439.tif 000005